(57)【要約】本発明は、指先端載置部への指の先端部の載置を検出する指先端部載置検出手段と、指付け根載置部への指の付け根部の載置を検出する付け根部載置検出手段と、前記指先端部載置検出手段の検出結果と、前記付け根部載置検出手段の検出結果とに基づいて、前記指の先端部又は前記指の付け根部の載置の有無をガイダンスするガイダンス手段とを有する生体認証装置である。
2012063761.tif 000002
【特許請求の範囲】
【請求項１】
指先端載置部への指の先端部の載置を検出する指先端部載置検出手段と、
指付け根載置部への指の付け根部の載置を検出する付け根部載置検出手段と、
前記指先端部載置検出手段の検出結果と、前記付け根部載置検出手段の検出結果とに基づいて、前記指の先端部又は前記指の付け根部の載置の有無をガイダンスするガイダンス手段と
を有する生体認証装置。
【請求項２】
前記ガイダンス手段は、
前記指先端載置部への載置をガイダンスする指先端載置ガイダンス手段と、
前記指付け根載置部への載置をガイダンスする指付け根載置ガイダンス手段と、
前記指先端部載置検出手段と前記付け根部載置検出手段とのいずれかが載置を検出しない場合、載置を検出しない側のガイダンス手段により載置をガイダンスし、前記指先端部載置検出手段と前記付け根部載置検出手段とのいずれもが載置を検出した場合、双方のガイダンス手段により載置の完了をガイダンスするガイダンス制御手段と
を有する請求項１に記載の生体認証装置。
【請求項３】
前記指先端載置ガイダンス手段及び前記指付け根載置ガイダンス手段が点滅点灯部材であり、
前記ガイダンス制御手段は、前記指先端部載置検出手段と前記付け根部載置検出手段とのいずれかが載置を検出しない場合、載置を検出しない側の前記点滅点灯部材を点滅させ、前記指先端部載置検出手段と前記付け根部載置検出手段とのいずれもが載置を検出した場合、双方の前記点滅点灯部材を点灯させる
請求項２に記載の生体認証装置。
【請求項４】
前記ガイダンス制御手段は、前記指先端部載置検出手段と前記付け根部載置検出手段とのいずれもが載置を検出した場合、認証対象の部位の撮像開始を指示する
請求項１から請求項３のいずれかに記載の生体認証装置。
【請求項５】
前記ガイダンス制御手段は、前記指先端部載置検出手段と前記付け根部載置検出手段とのいずれもが載置を検出した場合、認証対象の部位の予備撮像の開始を指示し、前記予備撮像の結果、認証対象が確認されない場合、前記指先端載置ガイダンス手段及び前記指付け根載置ガイダンス手段により指の載置をガイダンスする
請求項１から請求項３のいずれかに記載の生体認証装置。
【請求項６】
指先端載置部への指の先端部の載置を検出し、
指付け根載置部への指の付け根部の載置を検出し、
前記指の先端部の載置の検出結果と、前記指の付け根部の載置の検出結果とに基づいて、前記指の先端部又は前記指の付け根部の載置の有無をガイダンスする
生体認証方法。
【請求項７】
前記指の先端部の載置の検出と前記指の付け根部の載置の検出とのいずれかが検出されない場合には、載置を検出されない側の載置を促すガイダンスを行い、
前記指の先端部の載置の検出と前記指の付け根部の載置の検出とのいずれもが検出された場合には、載置の完了をガイダンスする
請求項６に記載の生体認証方法。
【請求項８】
載置の検出のガイダンス方法が点滅点灯部材による点灯であり、
載置の不検出のガイダンス方法が点滅点灯部材による点滅である
請求項７に記載の生体認証方法。
【請求項９】
前記指の先端部の載置の検出と前記指の付け根部の載置の検出とのいずれもが検出された場合、認証対象の部位の撮像開始を指示する
請求項６から請求項８のいずれかに記載の生体認証方法。
【請求項１０】
前記指の先端部の載置の検出と前記指の付け根部の載置の検出とのいずれもが検出された場合には認証対象の部位の予備撮像を行い、前記予備撮像の結果、認証対象が確認されない場合には、再載置を促すガイダンスを行う
請求項６から請求項８のいずれかに記載の生体認証装置。
【発明の詳細な説明】
【技術分野】
【０００１】
本発明は生体認証装置、及び生体認証方法に関する。
【背景技術】
【０００２】
指の撮像画像を用いて個人を認証する生体認証技術は、指の指紋等の表皮の紋様や血管のパターンを、予め登録された情報と照合する方式として知られている。【０００３】
これらの技術を用いた生体認証装置は、認証対象となる指紋等が生体認証装置に正しい位置に配置された状態で撮像されなければ、正しい認証は得られず、本人認証がＮＧとなったり、認証に多くの時間を要していた。【０００４】
そこで、使用者が指の置き位置を確認しやすくすることを目的とした指静脈の個人認証装置が、特許文献１に記載されている。【０００５】
特許文献１に記載された個人認証装置は、指の置き位置を発光させて使用者に知らせ、発光部に合わせて指の位置を確認しながらデータ取込みスイッチを押す事により、指のずれを低減する。
【先行技術文献】
【特許文献】
【０００６】
【特許文献１】特開２００５−３２３８９２号公報
【発明の概要】
【発明が解決しようとする課題】
【０００７】
しかしながら、上述した特許文献１に開示された発明は、以下の課題があった。【０００８】
特許文献１の発明は、指の置き位置を発光させて使用者に知らせるものであり、その位置に正しく指が載置されているとは限らず、正しい位置に載置されていない状態で認証を開始すると、正しい認証は得られず、本人認証がＮＧとなったり、認証に多くの時間を要していた。【０００９】
また、認証を行う使用者もどうして認証がＮＧなのかが不明であると、どのように指を載置すれば良いかわからず、戸惑うことが多かった。【００１０】
そこで、本発明は上記課題に鑑みて発明されたものであって、その目的は、認証対象となる指の載置の不具合を使用者が知ることができる生体認証装置及び生体認証方法を提供することにある。
【課題を解決するための手段】
【００１１】
上記課題を解決する本発明は、指先端載置部への指の先端部の載置を検出する指先端部載置検出手段と、指付け根載置部への指の付け根部の載置を検出する付け根部載置検出手段と、前記指先端部載置検出手段の検出結果と、前記付け根部載置検出手段の検出結果とに基づいて、前記指の先端部又は前記指の付け根部の載置の有無をガイダンスするガイダンス手段とを有する生体認証装置である。【００１２】
上記課題を解決する本発明は、指先端載置部への指の先端部の載置を検出し、指付け根載置部への指の付け根部の載置を検出し、前記指の先端部の載置の検出結果と、前記指の付け根部の載置の検出結果とに基づいて、前記指の先端部又は前記指の付け根部の載置の有無をガイダンスする生体認証方法である。
【発明の効果】
【００１３】
本発明によれば、認証対象となる指の載置の不具合を使用者が知ることができる。
【図面の簡単な説明】
【００１４】
【図１】図１は第１の実施の形態における個人認証装置の外観斜視図である。
【図２】図２は第１の実施の形態における個人認証装置を上から見た平面図である。
【図３】図３は第１の実施の形態のセンサに関するブロック図である。
【図４】図４は第１の実施の形態を説明するための図である。
【図５】図５は第１の実施の形態を説明するための図である。
【図６】図６は第１の実施の形態を説明するための図である。
【図７】図７は第１の実施の形態における個人認証装置の認証機能のブロック図である。
【図８】図８は第１の実施の形態における動作の動作フローチャートである。
【図９】図９は第１の実施の形態における動作の動作フローチャートである。
【図１０】図１０は第１の実施の形態の他の個人認証装置を説明するための図である。
【図１１】図１１は第２の実施の形態を説明するための図である。
【図１２】図１２は第２の実施の形態を説明するための図である。
【図１３】図１３は第２の実施の形態を説明するための図である。
【発明を実施するための形態】
【００１５】
（第１の実施の形態）
第１の実施の形態に係わる生体認証装置は、ユーザの指の指紋及びその内部に在る静脈の画像を同時に撮像する装置であり、例えば、撮像された指の指紋や静脈の画像を利用して個人を認証する個人認証装置（生体認証装置）として利用できる。撮像する指はいずれの指（母指、示指、中指、薬指、小指）であっても構わないが、ここでは示指（以後、単に「指」という）の指紋及び静脈を撮影する場合を例に取って説明する。尚、認証対象や撮像部位は、上記の指の指紋や静脈に限定するものではなく、例えば、手のひらなど表皮の紋様や、皮膚内部の血管パターン等、撮像、認証できる部位ならばどこでも良い。
【００１６】
図１は、本実施の形態における個人認証装置の外観斜視図であり、図２は個人認証装置を上から見た平面図である。
【００１７】
第１の実施の形態における個人認証装置は、図１、２に示す如く、指の先端部を載せる指先端載置部１と、指の付け根を載せる付け根載置部２、指の先端部用のガイダンスランプ３０Ａ，３０Ｂと、指付け根用のガイダンスランプ３１Ａ，３１Ｂとを有する。
【００１８】
指先端載置部１は、図３に示す如く、指の先端部を載せる指先端部載置面部１１と、指の先端部の載置を検出する指先端部載置センサ１２とを備える。
【００１９】
指先端載置面１１は指の先端部が接触する面であり、指の先端部に馴染むような凹曲面の形状を有する。指先端部載置センサ１２は、指先端載置面１１の内部に配置され、撮像対象となる指の先端部が指先端部載置面部１１に載置されたことを検出する。そして、指先端部載置センサ１２の出力は個人認証装置の内部に設けられたガイダンス制御部４０に供給される。
【００２０】
尚、指先端部載置センサ１２は、指の先端部が指先端部載置面部１１に載置されたことを検出することができるものであれば良く、具体的には、指の先端部の押下によるスイッチ等の物理的な検出装置や、圧力センサ、静電センサ、光電センサ、光学センサ等の検出装置がある。
【００２１】
付け根載置部２は、指の付け根部を載せる付け根部載置面部２１と、指の付け根部の載置を検出する付け根部載置センサ２２とを備える。
【００２２】
付け根部載置面部２１は指の付け根が接触する面であり、指の付け根部に馴染むような凹曲面の形状を有する。付け根部載置センサ２２は、付け根部載置面部２１の内部に配置され、撮像対象となる指の付け根部が付け根部載置面部２１に載置されたことを検出する。そして、付け根部載置センサ２２の出力は個人認証装置の内部に設けられたガイダンス制御部４０に供給される。
【００２３】
尚、付け根部載置センサ２２は、指の付け根部が付け根部載置面部２１に載置されたことを検出することができるものであれば良く、具体的には、載置による付け根部の押下によるスイッチ等の物理的な検出装置や、圧力センサ、静電センサ、光電センサ、光学センサ等の検出装置がある。
【００２４】
ガイダンス制御部４０は、指先端部載置センサ１２の出力と、付け根部載置センサ２２の出力とを受けて、指先端部載置面部１１に指の先端部が正常に載置されているか、又、付け根部載置面部２１に指の付け根部が正常に載置されているかを検出し、指先端部用のガイダンスランプ３０Ａ，３０Ｂと、指付け根用のガイダンスランプ３１Ａ，３１Ｂとを用いて、指の先端部又は付け根部の載置についてガイダンスする。尚、ガイダンスランプ３０Ａ，３０Ｂと、ガイダンスランプ３１Ａ，３１Ｂとは、ＬＥＤや電球などの点滅・点灯部材であれば良い。
【００２５】
ガイダンスの方法であるが、ガイダンス制御部４０は、指先端部載置センサ１２の出力を受けて、指先端部載置面部１１に指の先端部が正常に載置されている場合には、指先端部用のガイダンスランプ３０Ａ，３０Ｂを点灯させ、載置されていない場合には点滅させる。同様に、ガイダンス制御部４０は、付け根部載置センサ２２の出力を受けて、付け根部載置面部２１に指の付け根部が正常に載置されている場合には、指付け根用のガイダンスランプ３１Ａ，３１Ｂを点灯させ、載置されていない場合には点滅させる。
【００２６】
更に、具体的に説明すると、例えば、図４に示す如く、指の先端部のみが指先端載置面１１に載置されており、付け根部は付け根部載置面部２１に載置されていない場合には、指先端部載置センサ１２の出力は指の先端部が指先端部載置面部１１に載置されていることを示し、付け根部載置センサ２２の出力は付け根部が付け根部載置面部２１に載置されていないことを示す。そこで、ガイダンス制御部４０は、ガイダンスランプ３０Ａ，３０Ｂを点灯させて指の先端部が指先端載置面１１に載置されていることをユーザに教示すると共に、ガイダンスランプ３１Ａ，３１Ｂを点滅させて付け根部が付け根部載置面部２１に載置されていないことをユーザに教示する。
【００２７】
また、図５に示す如く、指の先端部が指先端載置面１１に載置されておらず、付け根部は付け根部載置面部２１に載置されている場合には、指先端部載置センサ１２の出力は指の先端部が指先端部載置面部１１に載置されていないことを示し、付け根部載置センサ２２の出力は付け根部が付け根部載置面部２１に載置されていることを示す。そこで、ガイダンス制御部４０は、ガイダンスランプ３０Ａ，３０Ｂを点滅させて指の先端部が指先端載置面１１に載置されていないことをユーザに教示すると共に、ガイダンスランプ３１Ａ，３１Ｂを点灯させて付け根部が付け根部載置面部２１に載置されていることをユーザに教示する。
【００２８】
また、図６に示す如く、指の先端部が指先端載置面１１に載置されており、付け根部は付け根部載置面部２１に載置されている場合には、指先端部載置センサ１２の出力は指の先端部が指先端部載置面部１１に載置されていることを示し、付け根部載置センサ２２の出力は付け根部が付け根部載置面部２１に載置されていることを示す。そこで、ガイダンス制御部４０は、ガイダンスランプ３０Ａ，３０Ｂを点灯させて指の先端部が指先端載置面１１に載置されていることをユーザに教示すると共に、ガイダンスランプ３１Ａ，３１Ｂを点灯させて付け根部が付け根部載置面部２１に載置されていることをユーザに教示する。
【００２９】
このように、指の先端部又は指の付け根部のいずれかが載置されていない場合には、載置されている側のガイダンスランプを点灯させ、載置されていない側のガイダンスランプを点滅させる。また、指の先端部及び指の付け根部のいずれもが載置されている場合には、両方のガイダンスランプを点灯させる。このようにして、指が正しく載置されているかを、ユーザに教示する。
【００３０】
次に、第１の実施の形態における個人認証装置の認証機能について説明する。
【００３１】
図７は第１の実施の形態における個人認証装置の認証機能のブロック図である。図７に示される如く、第１の実施の形態における個人認証装置は、指の先端部を載せる指先端載置部１と、指の付け根を載せる付け根載置部２、スポット光発生光源３と、撮像部４と、撮像制御部５と、画像処理部６と、照合部７と、表示部８とを有する。
【００３２】
スポット光発生光源３は、指と接触しない位置に設置され、指の遠位指節間関節（第一関節）と指の先端部端との間の指紋部位全体を概均一な輝度で、指紋部位に対してスポット的に平行光を照射する。ここで、平行光とは、指紋部位（指紋部位の表面）に対して、ほぼ同じ角度で均一にあたる光をいう。また、スポット光発生光源３は、好ましくは、指の皮膚表面の凹凸である指紋を撮像するために、なるべく皮膚表面の凹凸による影ができた方が望ましいため、一方向から照射を行う。
【００３３】
スポット光発生光源３のスポット光は可視光であることが好ましいが、近赤外線などの不可視光線を利用することも可能である。スポット光発生光源は、例えば、ハロゲンランプや、キセノンランプとレンズ、あるいはレンズが付属した該当波長内の発光特性を持つＬＥＤなどで構成される。
【００３４】
撮像部４は、ＣＣＤやＣＭＯＳなどのイメージセンサおよび制御系、イメージセンサに指の指紋画像と血管画像とを結像するレンズ光学系などで構成される。ここで、撮像部４は、指の遠位指節間関節（第一関節）と指の先端部端との間の指紋部位へのスポット光発生光源３からの照射光による反射光を主として、指の遠位指節間関節（第一関節）と指の先端部端との間の指紋部位の指紋を撮像し、スポット光発生光源３から指紋部位に照射された光が指内部で散乱して伝播し、遠位指節間関節（第一関節）と近位指節間関節（第二関節）との間の表皮からもれ出る（放射される）散乱光によって血管像を撮像する。尚、指紋画像と血管画像とは同時に、撮像部４により撮像される。尚、撮像部４は、スポット光発生光源３と同様に、指と接触しない位置に設置される。また、撮像に関しては、同時でなくても良い。
【００３５】
撮像制御部５は、ガイダンス制御部４０から、指の先端部及び指の付け根部のいずれもが載置されていることを通知されると、撮像部４の撮像を制御して撮像を開始し、撮像部４の信号をデータ化し、画像処理部６に指紋画像と血管画像とを送る。
【００３６】
画像処理部６は、撮像制御部５から取得した指紋の画像データから指紋の中心を抽出し、指の外形から指の中心のずれを測定しても良い。そして、指の回転量を検出してその回転量によって表示部８に指の正しい位置修正情報を表示し、認証を受ける被認証者に指の正しい位置修正を促すようにしても良い。更に、画像処理部６は、指が正しい位置に修正されて撮像部４により撮像された画像データから、指紋及び指血管の画像特徴を抽出し、抽出された画像特徴データを照合部７に出力する。
【００３７】
照合部７は、被認証者の指紋及び指血管の画像特徴が記憶されており、記憶されている被認証者の指紋及び指血管の画像特徴と画像処理部６からの指紋及び指血管の画像特徴とを照合し、認証を行う。
【００３８】
尚、画像処理部６又は照合部７において、被認証者の指をあらかじめ回転させて登録しておいた複数の参照データ（指紋及び指血管の画像特徴）を記録しておき、画像処理部６で抽出された指紋及び指血管の画像特徴と近似した回転量のものを選び出し、その指紋及び指血管の画像特徴と照合を行うようにしても良い。
【００３９】
次に、第１の実施の形態における指紋及び血管の撮像及び照合の動作を説明する。
【００４０】
図８、図９は第１の実施の形態における指紋及び血管の撮像及び照合の動作フローチャートである。
【００４１】
まず、指が指先端載置部１と付け根載置部２とに載置される（Ｓｔｅｐ  １００）。尚、指の載置に先立って、指の載置をユーザに促すように、ガイダンスランプ３０Ａ，３０Ｂ及びガイダンスランプ３１Ａ，３１Ｂをゆっくりとした点滅間隔で点滅させる。
【００４２】
指先端部載置センサ１２は、載置された指の先の腹の先端を検出して出力する（Ｓｔｅｐ  １０１）。
【００４３】
ガイダンス制御部４０は、指先端部載置センサ１２の出力をうけ、指先端部載置面部１１に指の先端部が正常に載置されているかを判定する（Ｓｔｅｐ  １０２）。指先端部載置面部１１に指の先端部が正常に載置されている場合には、指先端部用のガイダンスランプ３０Ａ，３０Ｂを点灯させて正常位置に載置されていることをガイダンスする（Ｓｔｅｐ  １０４）。一方、指先端部載置面部１１に指の先端部が正常に載置されていない場合には、指の先端部端用のガイダンスランプ３０Ａ，３０Ｂを点滅させて修正をガイダンスし、Ｓｔｅｐ  １０５に進む（Ｓｔｅｐ  １０３）。尚、ガイダンスランプ３０Ａ，３０Ｂの点滅間隔は、指の載置をユーザに促す時の点滅間隔よりも短い点滅間隔で点滅させる。
【００４４】
また、付け根部載置センサ２２は、載置された指の付け根部を検出して出力する（Ｓｔｅｐ  １０５）。
【００４５】
ガイダンス制御部４０は、付け根部載置センサ２２の出力をうけ、付け根部載置面部２１に指の付け根部が正常に載置されているかを判定する（Ｓｔｅｐ  １０６）。付け根部載置面部２１に指の付け根部が正常に載置されている場合には、指付け根用のガイダンスランプ３１Ａ，３１Ｂを点灯させて正常位置に載置されていることをガイダンスする（Ｓｔｅｐ  １０８）。一方、付け根部載置面部２１に指の付け根部が正常に載置されていない場合には、指付け根用のガイダンスランプ３１Ａ，３１Ｂを点滅させて修正をガイダンスし、Ｓｔｅｐ  １０９に進む（Ｓｔｅｐ  １０７）。尚、ガイダンスランプ３１Ａ，３１Ｂの点滅間隔は、指の載置をユーザに促す時の点滅間隔よりも短い点滅間隔で点滅させる。
【００４６】
ガイダンス制御部４０は、指先端部載置センサ１２及び付け根部載置センサ２２の結果より、指の先端部及び指の付け根がともに載置されているかを判断する（Ｓｔｅｐ  １０９）。
【００４７】
そして、ガイダンス制御部４０は、指先端部載置センサ１２の出力が、指の先端部が正常に指先端部載置面部１１に載置されていることを示し、付け根部載置面部２１の出力が、付け根部が正常に付け根部載置面部２１に載置されていることを示している場合には、撮像制御部５に撮像開始を指示する（Ｓｔｅｐ  １１０）。一方、指の先端部又は付け根部のいずれかが正常に載置されていない場合には、Ｓｔｅｐ  １０１に進む。
【００４８】
撮像が開始されると、指紋部位に対して、均一な輝度で、スポット的に平行光を照射される（Ｓｔｅｐ  １１１）。
【００４９】
撮像部４は、撮像制御部５により、指の近位指節間関節（第二関節）より指の先端部までの指紋、指の血管を含む部分を撮像する（Ｓｔｅｐ  １１２）。ここで、指の遠位指節間関節（第一関節）と指の先端部端との間の指紋部位は、照射光による反射光を主として撮像される。一方、指の遠位指節間関節（第一関節）と近位指節間関節（第二関節）との間および関節付近の皮膚直下には比較的太い血管が存在する。この部位にはスポット光発生光源３によって指紋部位に照射された光が指内にて散乱して指内を伝播し表皮より放射され、血管像が撮像される。尚、指紋画像と血管画像とは同時に撮像されるが、順次撮像するようにしても良い。
【００５０】
撮像制御部５は、撮像部４の信号をデータ化し、画像処理部６に指紋画像と血管画像とを出力する（Ｓｔｅｐ  １１３）。
【００５１】
画像処理部６は、撮像部４により撮像された画像データから指紋及び指血管の画像特徴を抽出し、抽出された画像特徴データを照合部７に出力する（Ｓｔｅｐ  １１４）。
【００５２】
照合部７は、画像処理部６からの指紋及び指血管の画像特徴に基づいて、照合を行う（Ｓｔｅｐ  １１５）。
【００５３】
尚、上述した第１の実施の形態に係わる生体認証装置では、ひとつの光源で指の指紋及び静脈を同時に撮影する例を説類したが、これに限られない。例えば、図１０に示す如く、光源１００と光源１０１とのふたつの光源を設け、光源１００は指の先端部を照射し、光源１０１は指の先端部から指の付け根部にかけての部位を照射するように構成する。この場合、指の指紋は光源１００から照射された光の反射光により撮影され、指の静脈（血管パターン）は光源１０１から照射された光の反射光により撮影される。尚、光源１００と光源１０１とは、スポット光源である必要はない。
【００５４】
また、指の指紋及び静脈を同時に撮影するのではなく、撮像部４により、それぞれ別に撮像するようにしても良い。
【００５５】
以上説明したように、第１の実施の形態は、以下に記載するような効果を奏する。
【００５６】
第１の実施の形態では、指の先端部と付け根部とが正しく載置面に載置されているかを検出し、いずれかの載置面に正しく載置されていない場合には、ユーザにその旨をガイダンスするので、異常な載置による画像照合の失敗がない。
【００５７】
また、ユーザにその旨をガイダンスするので、ユーザ迷わずに認証対象を載置できるので、撮像に要する時間もかからず、また、指の置き位置が悪くて撮像エラーとなることがない。
【００５８】
また、第１の実施の形態では、指先端載置面部と付け根部載置面部との双方に載置を検出するセンサを設け、指の先端部と指の付け根部とを個別に検出しているので、指の先端部と指の付け根部とのいずれかが正しく載置されていないをユーザにガイダンスすることができ、ユーザはどちらを正しく載置すれば良いかを知ることができる。
【００５９】
更に、第１の実施の形態では、指の指紋部位にスポット的に平行光を照射して、指紋部位から指内部で散乱して伝播し、遠位指節間関節（第一関節）と近位指節間関節（第二関節）との間の表皮からもれ出る（放射される）散乱光による血管像と、指の指紋部位にスポット的に平行光による指紋像とを一つの撮像部によって同時に撮像しているので、簡単な構造で短時間に照合処理（個人認証）ができることである。
【００６０】
また、光源を二つ設けた場合でも、反射光による指の指紋像と血管像とを一つの撮像部によって撮像できるので、簡単な構造で短時間に照合処理（個人認証）ができる。尚、撮像は、指の指紋像と血管像とを一つの撮像部で同時に撮像しても良いし、指の指紋像と血管像とを順次撮像するようにしても良い。
【００６１】
また、撮像部は一つに限られず、撮像部を二つ用意して、指の指紋像と血管像とをそれぞれを別の撮像部で撮像しても良い。
【００６２】
このように、第１の実施の形態では、１回指を認証装置に置くだけで、指紋像と血管像という複数の画像の撮像および照合処理（個人認証）を行うことができる。
【００６３】
また、指紋部位にスポット的に平行光を照射する場合には、指紋の凹凸により影が出来やすく、散乱光より良好なコントラストの指紋画像が得られる。
【００６４】
尚、第１の実施の形態では、指の載置のガイダンスとして、ランプを点滅又は点灯させる例を説明したが、これに限られない。例えば、ランプの色を変えたり、音や振動を変化させたり、更には音声によるガイダンスや、表示部によるメッセージの表示などでも同様な効果が得られる。また、それらのものを適時組み合わせて用いても良い。
（第２の実施の形態）
第２の実施形態を説明する。
【００６５】
指の認証の場合など、いたずらなどでわざと認証装置を作動させたりする場合が多い。例えば、図１１０のように、両手の指の先端部をそれぞれ指先端部載置面部１１と付け根部載置面部２１とに載置した場合、第１の実施の形態ではそれぞれの載置面に指の先端部と付け根部とが載置されていると検出し、撮像などの誤動作を起こす可能性がある。
【００６６】
また、図１２のように指を極端に「へ」の字型に曲げている場合や、図１３のように指を強く押し込んで指が反っている場合なども、第１の実施の形態ではそれぞれの載置面に指の先端部と付け根部とが載置されていると検出してしまい、これらの状態で撮像されることにより正しい認証ができない場合もある。
【００６７】
そこで、第２の実施の形態は、第１の実施の形態に加えて、ガイダンス制御部４０により指の先端部及び付け根部がともに載置面に載置されていることが検出された場合、一度、画像をプレスキャンし、指の存在や撮像画像を確認することを特徴とする。
【００６８】
以下、第１の実施の形態と異なる部分を中心に説明し、第１の実施の形態と同様な部については、同じ符号を付し、詳細な説明を省略する。
【００６９】
第２の実施の形態が第１の実施の形態と異なるところは、指先端部載置センサ１２の出力が指先端部載置面部１１に載置されていることを示し、付け根部載置センサ２２の出力が付け根部載置面部２１に載置されていることを示している場合に、ガイダンス制御部４０は撮像制御部５にプレスキャンの指示を出す。
【００７０】
撮像制御部５は、ガイダンス制御部４０からの指示を受けて、撮像を開始して、指紋画像及び静脈パターンの存在が認識できたならば、正規の撮像を開始する。尚、プレスキャン時は、個人の認証ができるまでの精度を要する撮像である必要はない。あくまでも、指紋画像及び静脈パターンの存在が認識できれば、撮像制御部５は正規の撮像を開始する。一方、仮に指が撮像されないならば、ガイダンス制御部４０にその旨を通知する。
【００７１】
ガイダンス制御部４０は撮像制御部からの通知を受けると、ガイダンスランプ３０Ａ，３０Ｂ及びガイダンスランプ３１Ａ，３１Ｂを点滅させて、正しく指が載置されていないことをガイダンスする。
【００７２】
第２の実施の形態によれば、第１の実施の形態の効果に加えて、いたずらなどでわざと認証装置を作動させたりすることを防止することができる。
【００７３】
また、指の先端部及び付け根部がともに載置面に載置されているが、認証に不適切な載置による無駄な撮像及び認証等の処理が不要となる。
【００７４】
尚、上述した説明からも明らかなように、ガイダンス制御部４０等をハードウェアで構成することも可能であるが、コンピュータプログラムにより実現することも可能である。この場合、プログラムメモリに格納されているプログラムで動作するプロセッサによって、上述した実施の形態と同様の機能、動作を実現させる。
【００７５】
また、上記の実施形態の一部又は全部は、以下の付記のようにも記載されうるが、以下には限られない。
【００７６】
（付記１）  指先端載置部への指の先端部の載置を検出する指先端部載置検出手段と、
指付け根載置部への指の付け根部の載置を検出する付け根部載置検出手段と、
前記指先端部載置検出手段の検出結果と、前記付け根部載置検出手段の検出結果とに基づいて、前記指の先端部又は前記指の付け根部の載置の有無をガイダンスするガイダンス手段と
を有する生体認証装置。
【００７７】
（付記２）  前記ガイダンス手段は、
前記指先端載置部への載置をガイダンスする指先端載置ガイダンス手段と、
前記指付け根載置部への載置をガイダンスする指付け根載置ガイダンス手段と、
前記指先端部載置検出手段と前記付け根部載置検出手段とのいずれかが載置を検出しない場合、載置を検出しない側のガイダンス手段により載置をガイダンスし、前記指先端部載置検出手段と前記付け根部載置検出手段とのいずれもが載置を検出した場合、双方のガイダンス手段により載置の完了をガイダンスするガイダンス制御手段と
を有する付記１に記載の生体認証装置。
【００７８】
（付記３）  前記指先端載置ガイダンス手段及び前記指付け根載置ガイダンス手段が点滅点灯部材であり、
前記ガイダンス制御手段は、前記指先端部載置検出手段と前記付け根部載置検出手段とのいずれかが載置を検出しない場合、載置を検出しない側の前記点滅点灯部材を点滅させ、前記指先端部載置検出手段と前記付け根部載置検出手段とのいずれもが載置を検出した場合、双方の前記点滅点灯部材を点灯させる
付記２に記載の生体認証装置。
【００７９】
（付記４）  前記ガイダンス制御手段は、前記指先端部載置検出手段と前記付け根部載置検出手段とのいずれもが載置を検出した場合、認証対象の部位の撮像開始を指示する
付記１から付記３のいずれかに記載の生体認証装置。
【００８０】
（付記５）  前記ガイダンス制御手段は、前記指先端部載置検出手段と前記付け根部載置検出手段とのいずれもが載置を検出した場合、認証対象の部位の予備撮像の開始を指示し、前記予備撮像の結果、認証対象が確認されない場合、前記指先端載置ガイダンス手段及び前記指付け根載置ガイダンス手段により指の載置をガイダンスする
付記１から付記３のいずれかに記載の生体認証装置。
【００８１】
（付記６）  指先端載置部への指の先端部の載置を検出し、
指付け根載置部への指の付け根部の載置を検出し、
前記指の先端部の載置の検出結果と、前記指の付け根部の載置の検出結果とに基づいて、前記指の先端部又は前記指の付け根部の載置の有無をガイダンスする
生体認証方法。
【００８２】
（付記７）  前記指の先端部の載置の検出と前記指の付け根部の載置の検出とのいずれかが検出されない場合には、載置を検出されない側の載置を促すガイダンスを行い、
前記指の先端部の載置の検出と前記指の付け根部の載置の検出とのいずれもが検出された場合には、載置の完了をガイダンスする
付記６に記載の生体認証方法。
【００８３】
（付記８）  載置の検出のガイダンス方法が点滅点灯部材による点灯であり、
載置の不検出のガイダンス方法が点滅点灯部材による点滅である
付記７に記載の生体認証方法。
【００８４】
（付記９）  前記指の先端部の載置の検出と前記指の付け根部の載置の検出とのいずれもが検出された場合、認証対象の部位の撮像開始を指示する
付記６から付記８のいずれかに記載の生体認証方法。
【００８５】
（付記１０）  前記指の先端部の載置の検出と前記指の付け根部の載置の検出とのいずれもが検出された場合には認証対象の部位の予備撮像を行い、前記予備撮像の結果、認証対象が確認されない場合には、再載置を促すガイダンスを行う
付記６から付記８のいずれかに記載の生体認証装置。
【００８６】
本出願は、２０１０年１１月８日に出願された日本出願特願２０１０−２４９６２９号を基礎とする優先権を主張し、その開示の全てをここに取り込む。
【００８７】
以上好ましい実施の形態及び実施例をあげて本発明を説明したが、本発明は必ずしも上記実施の形態及び実施例に限定されるものではなく、その技術的思想の範囲内において様々に変形し実施することが出来る。
【符号の説明】
【００８８】
１          先端載置部
２          付け根載置部
３          スポット光発生光源
４          撮像部
５          撮像制御部
６          画像処理部
７          照合部
８          表示部
１１        指先端載置面
１２        指先端部載置センサ
２１        付け根部載置面部
２２        付け根部載置センサ
３０Ａ，３０Ｂ    指先端部用のガイダンスランプ
３１Ａ，３１Ｂ    指付け根用のガイダンスランプ
４０        ガイダンス制御部
１００，１０１      光源
【図１】
2012063761.tif 000003
【図２】
2012063761.tif 000004
【図３】
2012063761.tif 000005
【図４】
2012063761.tif 000006
【図５】
2012063761.tif 000007
【図６】
2012063761.tif 000008
【図７】
2012063761.tif 000009
【図８】
2012063761.tif 000010
【図９】
2012063761.tif 000011
【図１０】
2012063761.tif 000012
【図１１】
2012063761.tif 000013
【図１２】
2012063761.tif 000014
【図１３】
2012063761.tif 000015
【国際調査報告】
2012063761.tif 000016
2012063761.tif 000017
2012063761.tif 000018
2012063761.tif 000019